(57)【要約】【課題】設置環境等に対応して自動的に音量を設定して、装置設置時に必要な操作を少しでも簡略化する。【解決手段】画像信号及び音声信号を入力する入力系11，12と、投影画像のフォーカス位置を変化させるフォーカスレンズ21ｂ、投影画角を変化させるズームレンズ21ａを含んだレンズ光学系21を有し、入力される画像信号に応じた光像を形成して該レンズ光学系21により投影する投影系13〜25と、入力される音声信号に応じた音声を出力する音声系30，31、フォーカスレンズ21ｂ及びズームレンズ21ａの位置に応じて音量を可変設定する制御系26〜29とを備える。【選択図】図１
2010164847.tif 000002
【特許請求の範囲】
【請求項１】
画像信号及び音声信号を入力する入力手段と、
投影画像のフォーカス位置を変化させるフォーカスレンズ、及び投影画角を変化させるズームレンズの少なくとも一方を含んだレンズ光学系を有し、上記入力手段で入力される画像信号に応じた光像を形成して上記レンズ光学系により投影する投影手段と、
上記入力手段で入力される音声信号に応じた音声を出力する放音手段と、
上記投影手段の光学レンズ系を構成する上記フォーカスレンズ、及びズームレンズの少なくとも一方の位置に応じて上記放音手段での音量を可変設定する音声制御手段と
を具備したことを特徴とする投影装置。
【請求項２】
上記音声制御手段は、電源投入に伴う起動時に上記放音手段での音量を可変設定することを特徴とする請求項１記載の投影装置。
【請求項３】
上記音声制御手段は、投影手段の光学レンズ系を構成する上記フォーカスレンズ、及びズームレンズの少なくとも一方に対する調整操作から一定時間経過後に上記放音手段での音量を可変設定することを特徴とする請求項１記載の投影装置。
【請求項４】
上記音声制御手段は、投影手段の光学レンズ系を構成する上記フォーカスレンズ、及びズームレンズの少なくとも一方の位置に基づき、予め用意したルックアップテーブルを参照して上記放音手段での音量を可変設定することを特徴とする請求項１記載の投影装置。
【請求項５】
上記音声制御手段は、投影手段の光学レンズ系を構成する上記フォーカスレンズ、及びズームレンズの少なくとも一方の位置に基づき、予め用意した演算式を実行してその演算結果に応じて上記放音手段での音量を可変設定することを特徴とする請求項１記載の投影装置。
【請求項６】
音声信号を出力する投影装置と、この投影装置が出力した音声信号に基づいて報音する報音装置とを有する投影システムであって、
上記投影装置は、
画像信号及び音声信号を入力する入力手段と、
投影画像のフォーカス位置を変化させるフォーカスレンズ、及び投影画角を変化させるズームレンズの少なくとも一方を含んだレンズ光学系を有し、上記入力手段で入力される画像信号に応じた光像を形成して上記レンズ光学系により投影する投影手段と、
上記投影手段の光学レンズ系を構成する上記フォーカスレンズ、及びズームレンズの少なくとも一方の位置に応じて上記音声信号の音量を可変設定する音量データを取得する音量データ取得手段と、
上記報音装置に、上記音量データ取得手段により取得した音量データを上記音声信号に重畳して出力する出力手段とを備え、
上記報音装置は、
上記出力手段が出力した上記音量データが上記音声信号に重畳された信号を入力する音信号入力手段と、
上記音信号入力手段で入力した信号に基づいて音量を調整して上記音声信号を報音する報音手段とを備える
ことを特徴とする投影システム。
【請求項７】
画像信号及び音声信号を入力する入力部、投影画像のフォーカス位置を変化させるフォーカスレンズ、及び投影画角を変化させるズームレンズの少なくとも一方を含んだレンズ光学系を有し、上記入力部で入力される画像信号に応じた光像を形成して上記レンズ光学系により投影する投影部、及び上記入力部で入力される音声信号に応じた音声を出力する放音部を備えた投影装置の音声制御方法であって、
上記投影部の光学レンズ系を構成する上記フォーカスレンズ、及びズームレンズの少なくとも一方の位置に応じて上記放音部での音量を可変設定することを特徴とする音声制御方法。
【請求項８】
画像信号及び音声信号を入力する入力部、投影画像のフォーカス位置を変化させるフォーカスレンズ、及び投影画角を変化させるズームレンズの少なくとも一方を含んだレンズ光学系を有し、上記入力部で入力される画像信号に応じた光像を形成して上記レンズ光学系により投影する投影部、及び上記入力部で入力される音声信号に応じた音声を出力する放音部を備えた投影装置が内蔵するコンピュータが実行するプログラムであって、
上記投影部の光学レンズ系を構成する上記フォーカスレンズ、及びズームレンズの少なくとも一方の位置に応じて上記放音部での音量を可変設定するステップをコンピュータに実行させることを特徴とするプログラム。
【発明の詳細な説明】
【技術分野】
【０００１】
本発明は、入力される信号に応じて、画像を投影すると共に音声を拡声出力する投影装置、投影システム、音声制御方法及びプログラムに関する。
【背景技術】
【０００２】
従来、リモートコントローラのキー操作で画質調整や音量調整を容易に行なうべく、スクリーンで反射されたリモートコントローラからの赤外光を、投影レンズ系に組込んだ受光素子で受信させるようにした技術が記載されている。（例えば、特許文献１）
【先行技術文献】
【特許文献】
【０００３】
【特許文献１】特開平６−１２５４７９号公報
【発明の概要】
【発明が解決しようとする課題】
【０００４】
上述した特許文献の技術を含めて、プロジェクタ装置では通常、装置本体または付属のリモートコントローラでのキー操作に応じて、画像の投影画角（ズーム位置）、合焦位置、及び機種によっては台形補正と、音量の各調整を行なっている。
【０００５】
このように、投影する画像に関しては装置を設置する環境や投影の用途等に応じて設定すべき項目が多く、且つ細かい調整が必要とされるのに対して、音声に関してはただ音量を大きくするか小さくするかを指示するのみであり、比較的調整が容易であるが、調整した音量もしくは起動時の音量が適正でない場合、聴衆に不快感を与える虞がある。
【０００６】
そのため、装置の設置時には、音量の調整に関する操作のみでも簡略化、且つ適正化することが望ましい。
【０００７】
本発明は上記のような実情に鑑みてなされたもので、その目的とするところは、設置環境等に対応して自動的に適正な音量を設定して、装置設置時に必要な操作を少しでも簡略化することが可能な投影装置、投影システム、音声制御方法及びプログラムを提供することにある。
【課題を解決するための手段】
【０００８】
請求項１記載の発明は、画像信号及び音声信号を入力する入力手段と、投影画像のフォーカス位置を変化させるフォーカスレンズ、及び投影画角を変化させるズームレンズの少なくとも一方を含んだレンズ光学系を有し、上記入力手段で入力される画像信号に応じた光像を形成して上記レンズ光学系により投影する投影手段と、上記入力手段で入力される音声信号に応じた音声を出力する放音手段と、上記投影手段の光学レンズ系を構成する上記フォーカスレンズ、及びズームレンズの少なくとも一方の位置に応じて上記放音手段での音量を可変設定する音声制御手段とを具備したことを特徴とする。
【０００９】
請求項２記載の発明は、上記請求項１記載の発明において、上記音声制御手段は、電源投入に伴う起動時に上記放音手段での音量を可変設定することを特徴とする請求項１記載の投影装置。
【００１０】
請求項３記載の発明は、上記請求項１記載の発明において、上記音声制御手段は、投影手段の光学レンズ系を構成する上記フォーカスレンズ、及びズームレンズの少なくとも一方に対する調整操作から一定時間経過後に上記放音手段での音量を可変設定することを特徴とする。
【００１１】
請求項４記載の発明は、上記請求項１記載の発明において、上記音声制御手段は、投影手段の光学レンズ系を構成する上記フォーカスレンズ、及びズームレンズの少なくとも一方の位置に基づき、予め用意したルックアップテーブルを参照して上記放音手段での音量を可変設定することを特徴とする。
【００１２】
請求項５記載の発明は、上記請求項１記載の発明において、上記音声制御手段は、投影手段の光学レンズ系を構成する上記フォーカスレンズ、及びズームレンズの少なくとも一方の位置に基づき、予め用意した演算式を実行してその演算結果に応じて上記放音手段での音量を可変設定することを特徴とする。
【００１３】
請求項６記載の発明は、音声信号を出力する投影装置と、この投影装置が出力した音声信号に基づいて報音する報音装置とを有する投影システムであって、上記投影装置は、画像信号及び音声信号を入力する入力手段と、投影画像のフォーカス位置を変化させるフォーカスレンズ、及び投影画角を変化させるズームレンズの少なくとも一方を含んだレンズ光学系を有し、上記入力手段で入力される画像信号に応じた光像を形成して上記レンズ光学系により投影する投影手段と、上記投影手段の光学レンズ系を構成する上記フォーカスレンズ、及びズームレンズの少なくとも一方の位置に応じて上記音声信号の音量を可変設定する音量データを取得する音量データ取得手段と、上記報音装置に、上記音量データ取得手段により取得した音量データを上記音声信号に重畳して出力する出力手段とを備え、上記報音装置は、上記出力手段が出力した上記音量データが上記音声信号に重畳された信号を入力する音信号入力手段と、上記音信号入力手段で入力した信号に基づいて音量を調整して上記音声信号を報音する報音手段とを備えることを特徴とする。
【００１４】
請求項７記載の発明は、画像信号及び音声信号を入力する入力部、投影画像のフォーカス位置を変化させるフォーカスレンズ、及び投影画角を変化させるズームレンズの少なくとも一方を含んだレンズ光学系を有し、上記入力部で入力される画像信号に応じた光像を形成して上記レンズ光学系により投影する投影部、及び上記入力部で入力される音声信号に応じた音声を出力する放音部を備えた投影装置の音声制御方法であって、上記投影部の光学レンズ系を構成する上記フォーカスレンズ、及びズームレンズの少なくとも一方の位置に応じて上記放音部での音量を可変設定することを特徴とする。
【００１５】
請求項８記載の発明は、画像信号及び音声信号を入力する入力部、投影画像のフォーカス位置を変化させるフォーカスレンズ、及び投影画角を変化させるズームレンズの少なくとも一方を含んだレンズ光学系を有し、上記入力部で入力される画像信号に応じた光像を形成して上記レンズ光学系により投影する投影部、及び上記入力部で入力される音声信号に応じた音声を出力する放音部を備えた投影装置が内蔵するコンピュータが実行するプログラムであって、上記投影部の光学レンズ系を構成する上記フォーカスレンズ、及びズームレンズの少なくとも一方の位置に応じて上記放音部での音量を可変設定するステップをコンピュータに実行させることを特徴とする。
【発明の効果】
【００１６】
本発明によれば、装置設置時に必要な操作を少しでも簡略化するべく、設置環境に応じて自動的に適正と思われる音量を設定することが可能となる。
【図面の簡単な説明】
【００１７】
【図１】本発明の一実施形態に係るデータプロジェクタ装置の電子回路の機能構成を示すブロック図。
【図２】同実施形態に係る電源投入後のフローチャート。
【図３】同実施形態に係る音量テーブルの内容を例示する図。
【発明を実施するための形態】
【００１８】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１９】
図１は、同実施形態に係るデータプロジェクタ装置１０が備える電子回路の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００２０】
入出力コネクタ部１１より入力される各種規格の画像信号は、入出力インタフェース（Ｉ／Ｆ）１２、システムバスＳＢを介し、一般にスケーラとも称される画像変換部１３に入力される。
【００２１】
画像変換部１３は、入力された画像信号を投影に適した所定のフォーマットの画像信号に統一し、適宜表示用のバッファメモリであるビデオＲＡＭ１４に記憶した後に、投影画像処理部１５へ送る。
【００２２】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が投影画像処理部１５へ送られる。
【００２３】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２４】
このマイクロミラー素子１６は、アレイ状に配列された複数、例えばＸＧＡ（横１０２４×縦７６８ドット）分の微小ミラーの各傾斜角度を個々に高速でオン／オフ動作することでその反射光により光像を形成する。
【００２５】
一方で、ＬＥＤアレイ１７は、ＲＧＢの各色で発光する多数のＬＥＤが規則的に混在するようにアレイ配置して構成されるもので、その各色成分毎の時分割による発光が、内面全面に反射ミラーを貼設した角錐台形のハウジング１８により集光され、インテグレータ１９で輝度分布が均一な光束とされた後に、ミラー２０で全反射してマイクロミラー素子１６に照射される。
【００２６】
そして、マイクロミラー素子１６での反射光で光像が形成され、形成された光像が投影レンズユニット２１を介して、投影対象となるここでは図示しないスクリーンに投影表示される。
【００２７】
上記ＬＥＤアレイ１７は、Ｒドライバ２２、Ｇドライバ２３、及びＢドライバ２４によりそれぞれ対応する色のＬＥＤ群が時分割で駆動制御され、ＲＧＢの各原色で発光する。
【００２８】
上記Ｒドライバ２２、Ｇドライバ２３、及びＢドライバ２４は、投影光処理部２５からの制御信号に基づいたタイミング及び駆動電流でＬＥＤアレイ１７を構成する個々の色成分のＬＥＤ群を駆動する。
【００２９】
投影光処理部２５は、投影画像処理部１５から与えられる画像データに応じて上記Ｒドライバ２２、Ｇドライバ２３、及びＢドライバ２４による発光タイミングと駆動電流とを制御する。
【００３０】
また投影光処理部２５は、投影レンズユニット２１を構成するレンズ光学系中のズームレンズ２１ａ及びフォーカスレンズ２１ｂの動作も制御する。  
すなわち、ズームレンズ２１ａはステッピングモータ（Ｍ）２１ｃの駆動により投影光軸方向に沿って移動するもので、そのステップ位置がポジションセンサ２１ｄにより検出される。投影光処理部２５は、ステッピングモータ２１ｃを駆動制御すると共に、ポジションセンサ２１ｄの検出出力を入力してその時点でのズームレンズ２１ａのステップ位置を把握する。
【００３１】
同様に、フォーカスレンズ２１ｂはステッピングモータ（Ｍ）２１ｅの駆動により投影光軸方向に沿って移動するもので、そのステップ位置がポジションセンサ２１ｆにより検出される。投影光処理部２５は、ステッピングモータ２１ｅを駆動制御すると共に、ポジションセンサ２１ｆの検出出力を入力してその時点でのフォーカスレンズ２１ｂのステップ位置を把握する。
【００３２】
上記各回路の動作すべてをＣＰＵ２６が制御する。このＣＰＵ２６は、ＤＲＡＭで構成されたメインメモリ２７、及び動作プログラムや各種定型データ等を記憶した電気的書換可能な不揮発性メモリでなるプログラムメモリ２８を用いてこのデータプロジェクタ装置１０内の制御動作を実行する。
【００３３】
加えて上記プログラムメモリ２８には、ルックアップテーブルである後述の音量テーブル２８ａが予め記憶されるものとする。
【００３４】
上記ＣＰＵ２６は、操作部２９からのキー操作信号に応じて各種投影動作を実行する。
【００３５】
この操作部２９は、データプロジェクタ装置１０の本体に設けられるキー操作部と、このデータプロジェクタ装置１０専用の図示しない双方向リモートコントローラ（以下、双方向リモコン）との間で赤外光を送受光するレーザ送受光部を含み、ユーザが本体のキー操作部または双方向リモコンで操作したキーに基づくキー操作信号をＣＰＵ２６へ直接出力する。
【００３６】
操作部２９は、データプロジェクタ装置１０本体のキー操作と双方向リモコン共に、例えば電源の投入と切断を指示する電源キー、上下左右の各ポインタ移動を指示するカーソルキー、メニュー項目の選択や設定を行なうメニューキー、投影ズーム角度を可変するズームキー、フォーカス位置を可変するフォーカスキー等を備える。
【００３７】
上記ＣＰＵ２６はさらに、上記システムバスＳＢを介して音声処理部３０と接続される。  
音声処理部３０は、ＰＣＭ音源等の音源回路を備え、投影動作時に与えられる音声データをアナログ化し、スピーカ部３１を駆動して拡声放音させ、あるいは必要によりビープ音等を発生させる一方で、アナログの音声信号をこのデータプロジェクタ装置１０の外部へライン出力する。
【００３８】
次に上記実施形態の動作について説明する。  
図２は、データプロジェクタ装置１０の電源が切断されている状態からの主として電源制御に係る処理内容を示す。同処理は、ＣＰＵ２６がプログラムメモリ２８に記憶されている動作プログラムを読出し、メインメモリ２７に展開して記憶させることで実行される。
【００３９】
その当初には、まず光源のＬＥＤアレイ１７を投影光処理部２５がＲドライバ２２、Ｇドライバ２３、及びＢドライバ２４を用いて時分割で点灯駆動させる（ステップＳ１０１）。
【００４０】
併せて、入出力コネクタ部１１より入力される信号に応じた投影処理を実行しながら（ステップＳ１０２）、操作部２９でのキー操作により、特にフォーカスキーまたはズームキーが操作されたか否かを判断する（ステップＳ１０３）。
【００４１】
ここで、フォーカスキーまたはズームキーが操作されなかったと判断した場合には、続けてその前にフォーカスキーまたはズームキーが操作されてから一定時間、例えば１［秒］が経過したか否かを判断する（ステップＳ１０４）。
【００４２】
これは、ＣＰＵ２６がメインメモリ２７内に設定したタイマをフォーカスキーまたはズームキーが操作された直後に起動した場合にその計時値から判断する。フォーカスキーまたはズームキーが操作されていない場合には、該タイマによる計時も行なわないため、その判断結果は常にＮＯとなる。
【００４３】
しかして、上記ステップＳ１０２〜Ｓ１０４の処理を繰返し実行し、投影処理を行ないながら、フォーカスキーまたはズームキーが操作されるか、または該キー操作があってから一定時間が経過するのを待機する。
【００４４】
フォーカスキーまたはズームキーが操作された場合、上記ステップＳ０３でそれを判断すると、操作されたキーに対応してＣＰＵ２６から投影光処理部２５を介し、ステッピングモータ２１ｅまたは２１ｃによりフォーカスレンズ２１ｂまたはズームレンズ２１ａを移動させる（ステップＳ１０５）。
【００４５】
このレンズの移動に伴い、メインメモリ２７内に設定したタイマによる計時を開始させた後（ステップＳ１０６）、再び上記ステップＳ１０２からの処理に戻る。
【００４６】
操作部２９のフォーカスキーまたはズームキーを操作してから一定時間、例えば１［秒］が経過すると、上記ステップＳ１０４でそれを判断し、その時点の投影レンズユニット２１のフォーカスレンズ２１ｂ及びズームレンズ２１ａの位置をポジションセンサ２１ｆ及びポジションセンサ２１ｄを用いて検出する。
【００４７】
そして、検出した内容によって、プログラムメモリ２８に記憶している音量テーブル２８ａを参照し、音量の調整幅を読出す（ステップＳ１０７）。  
図３は、プログラムメモリ２８に記憶される音量テーブル２８ａの内容を例示するものである。ここでは、例えばフォーカスレンズ２１ｂにより０．８［ｍ］〜５．６［ｍ］（１００型投影時）の範囲の投影距離で投影することが可能であり、一方のズームレンズ２１ａが最狭角度から最広角度までステッピングモータ２１ｃの駆動により２５６ステップの範囲内で可変設定できるものとする。
【００４８】
また、このデータプロジェクタ装置１０でアナログの音声信号を生成する音声処理部３０は、０（無音）〜１００（最大音量）の計１０１ステップの範囲内で音量を調整可能であるものとする。
【００４９】
同図に示すように、投影距離とズーム角とを夫々５つのレンジに分けてテーブルを計２５の領域に分け、各領域毎に固定の調整幅を設定するものとしている。ここでは、投影距離が遠くなるにつれ、またズーム角が大きくなるにつれてそれぞれ相乗的に音量の調整幅もプラスの方向に大きくなるものとして設定している。
【００５０】
例えば、投影距離が「４．０〜５．６［ｍ］」でズーム角が「１０３〜１５３［ステップ］）」である場合には、音量をその時点で設定されているステップ値に対して「２０（ステップ）」分増加させるよう調整することを示す。
【００５１】
こうすることで、投影画像が大きくなるのに対応して音量をより大きくするように調整し、ユーザが手動で音量を増加させる操作を簡略化できる。
【００５２】
反対に、投影距離が近くなるにつれ、またズーム角が狭くなるにつれてそれぞれ相乗的に音量の調整幅もマイナスの方向に大きくなるものとして設定している。
【００５３】
例えば、投影距離が「０．８〜１．１［ｍ］」でズーム角が「５２〜１０２［ステップ］）」である場合には、音量をその時点で設定されているステップ値に対して「３０（ステップ）」分減少させるよう調整することを示す。
【００５４】
こうすることで、投影画像が小さくなるのに対応して音量をより小さくするように調整し、ユーザが手動で音量を低減させる操作を簡略化できる。
【００５５】
こうして上記ステップＳ１０７でフォーカスレンズ２１ｂの位置とズームレンズ２１ａの位置とによって音量テーブル２８ａから音量を調整すべき値を読出し、読出した値に基づいて音声処理部３０で音量の増減による調整を実施した後（ステップＳ１０８）、上記ステップＳ１０１からの処理に戻る。
【００５６】
以上詳記した如く本実施形態によれば、装置設置時に必要な操作を少しでも簡略化し、設置環境にそぐわない不適正な音量を発生させないために、設置環境、特に投影距離と投影画角（ズーム角）に応じて自動的に適正と思われる音量を設定することが可能となる。
【００５７】
また、このような投影距離と投影画角（ズーム角）に応じた音量調整は、投影画面サイズに応じた音量調整と換言することもでき、例えば画面サイズに応じた適正音量での投影が可能とすることでより臨場感の増した投影が期待できる。
【００５８】
さらに上記実施形態では、電源投入に伴う起動時に音量の調整を行なうものとしたので、装置の設置に伴って各種設定が集中しがちな状況で少しでも負担を軽減できる。
【００５９】
また上記実施形態では、フォーカスレンズ２１ｂ、ズームレンズ２１ａに対する操作を行なってから一定時間経過した後に、操作した結果としての各レンズ位置から音量調整を行なうものとしたので、短い周期でレンズに対する操作を行なう場合でも、その都度音量調整を行なうのではなく、ある程度レンズの位置が決定してから音量調整を行なうことで、レンズ位置の細かな操作に対して過敏に音量が増減されてしまうのを防ぐことができる。
【００６０】
なお上記実施形態では、フォーカスレンズ２１ｂ及びズームレンズ２１ａの位置に対する音量調整をプログラムメモリ２８に記憶したルックアップテーブルである音量テーブル２８ａに基づいて行なうものとした。これにより、音量調整に関する手間を簡略化して容易且つ迅速な制御を実現できる。
【００６１】
また上記実施形態とは異なり、例えばフォーカスレンズ２１ｂとズームレンズ２１ａそれぞれの位置に応じたケース分けを行なった上で、各ケースに対して予め設定しておいた計算式にしたがって音量をより細かく調整するものとしても良い。  
このようにその都度適切な計算式により調整すべき音量の値を算出することで、よりリニアで違和感のない音量調整が実現できるものと思われる。
【００６２】
さらに上記実施形態では、フォーカスレンズ２１ｂとズームレンズ２１ａの位置、すなわち投影距離と投影画角（ズーム角）双方の要因を総合して音量調整を行なうものとして説明したが、本発明はこれに限るものではなく、いずれか一方の要因のみに基づいて調整を行なうこととしても良い。
【００６３】
また、上記データプロジェクタ１０が外部に接続されたスピーカを備える場合は、上記音量調整値を有するテーブル２８ａのデータを音声データに重畳して送信し、外部スピーカに音量を調整させた音声データを放音させる構成とすることもできる。
【００６４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００６５】
１０…データプロジェクタ装置、１１…入出力コネクタ部、１２…入出力インタフェース（Ｉ／Ｆ）、１３…画像変換部、１４…ビデオＲＡＭ、１５…投影画像処理部、１６…マイクロミラー素子（ＳＯＭ）、１７…ＬＥＤアレイ、１８…ハウジング、１９…インテグレータ、２０…ミラー、２１…投影レンズユニット、２１ａ…ズームレンズ、２１ｂ…フォーカスレンズ、２１ｃ…ステッピングモータ（Ｍ）、２１ｄ…ポジションセンサ、２１ｅ…ステッピングモータ（Ｍ）、２１ｆ…ポジションセンサ、２２…Ｒドライバ、２３…Ｇドライバ、２４…Ｂドライバ、２５…投影光処理部、２６…ＣＰＵ、２７…メインメモリ、２８…プログラムメモリ、２８ａ…音量テーブル、２９…操作部、３０…音声処理部、３１…スピーカ部、ＳＢ…システムバス。
【図１】
2010164847.tif 000003
【図２】
2010164847.tif 000004
【図３】
2010164847.tif 000005